【手続補正書】
【提出日】平成20年2月22日(2008.2.22)
【手続補正１】
【補正対象書類名】特許請求の範囲
【補正対象項目名】全文
【補正方法】変更
【補正の内容】
【特許請求の範囲】
【請求項１】
入力した動画の各フレームの画像の白色部分の画像データに基づいてホワイトバランス補正を行うホワイトバランス補正装置であって、
前記動画の第１画像及び該第１画像が入力してから予め設定された時間後に入力した第２画像のそれぞれの白色部分の画像データから複数の統計値を算出する算出手段と、
前記第１画像の撮影時の光源と、前記第２画像の撮影時の光源とが異なっているかどうかを判断する判断手段と、
前記判断手段により光源が異なっていると判断された場合に、前記第１画像の複数の統計値を前記第２画像の複数の対応する統計値まで、それぞれ一定の割合で所定時間、変化させる変更手段と、
前記所定時間の間、前記変更手段により変化された複数の統計値を用いてホワイトバランス補正係数を算出する補正係数算出手段とを有し、
前記第１画像と前記第２画像との間に入力した画像を、前記補正係数算出手段により算出されたホワイトバランス補正係数を用いてホワイトバランス補正することを特徴とするホワイトバランス補正装置。
【請求項２】
前記補正係数算出手段は、前記判断手段により光源が同じであると判断された場合に、前記算出手段により算出された統計値を用いてホワイトバランス補正係数を算出することを特徴とする請求項１に記載のホワイトバランス補正装置。
【請求項３】
前記変更手段における一定の割合は、前記第１画像の複数の統計値と前記第２画像の複数の対応する統計値との差分をそれぞれ前記所定時間で除した値であることを特徴とする請求項１または２に記載のホワイトバランス補正装置。
【請求項４】
前記統計値は、白色部分の画像データの積分値、平均値、中央値、標準偏差値のいずれかであることを特徴とする請求項１乃至３のいずれか１項に記載のホワイトバランス補正装置。
【請求項５】
前記統計値は、白色部分の画像データの色温度色評価値、緑方向色評価値、及び輝度値の統計値であることを特徴とする請求項４に記載のホワイトバランス補正装置。
【請求項６】
前記判断手段は、前記第１画像の輝度値と、前記第２画像の輝度値の差が予め設定された第１の閾値以上変化している場合及び前記第１画像の色温度色評価値及び緑方向色評価値と前記第２画像の色温度色評価値及び緑方向色評価値が予め設定された第２の閾値以上変化している場合に、光源が異なっていると判断することを特徴とする請求項５に記載のホワイトバランス補正装置。
【請求項７】
請求項１乃至５のいずれか１項に記載のホワイトバランス補正装置を搭載したことを特徴とする撮像装置。
【請求項８】
入力した動画の各フレームの画像の白色部分の画像データに基づいてホワイトバランス補正を行うホワイトバランス補正方法であって、
前記動画の第１画像及び該第１画像が入力してから予め設定された時間後に入力した第２画像のそれぞれの白色部分の画像データから複数の統計値を算出する算出工程と、
前記第１画像の撮影時の光源と、前記第２画像の撮影時の光源とが異なっているかどうかを判断する判断工程と、
前記判断工程で光源が異なっていると判断された場合に、前記第１画像の複数の統計値を前記第２画像の複数の対応する統計値まで、それぞれ一定の割合で所定時間、変化させる変更工程と、
前記所定時間の間、前記変更工程により変化された複数の統計値を用いてホワイトバランス補正係数を算出する補正係数算出工程とを有し、
前記第１画像と前記第２画像との間に入力した画像を、前記補正係数算出工程で算出されたホワイトバランス補正係数を用いてホワイトバランス補正することを特徴とするホワイトバランス補正方法。
【請求項９】
前記補正係数算出工程では、前記判断工程により光源が同じであると判断された場合に、前記算出工程により算出された統計値を用いてホワイトバランス補正係数を算出することを特徴とする請求項８に記載のホワイトバランス補正方法。
【請求項１０】
前記変更工程における一定の割合は、前記第１画像の複数の統計値と前記第２画像の複数の対応する統計値との差分をそれぞれ前記所定時間で除した値であることを特徴とする請求項８または９に記載のホワイトバランス補正方法。
【請求項１１】
前記統計値は、白色部分の画像データの積分値、平均値、中央値、標準偏差値のいずれかであることを特徴とする請求項８乃至１０のいずれか１項に記載のホワイトバランス補正方法。
【請求項１２】
前記統計値は、白色部分の画像データの色温度色評価値、緑方向色評価値、及び輝度値の統計値であることを特徴とする請求項１１に記載のホワイトバランス補正方法。
【請求項１３】
前記判断工程では、前記第１画像の輝度値と、前記第２画像の輝度値の差が予め設定された第１の閾値以上変化している場合及び前記第１画像の色温度色評価値及び緑方向色評価値と前記第２画像の色温度色評価値及び緑方向色評価値が予め設定された第２の閾値以上変化している場合に、光源が異なっていると判断することを特徴とする請求項１２に記載のホワイトバランス補正方法。
【請求項１４】
情報処理装置に、請求項８乃至１３のいずれか１項に記載のホワイトバランス補正方法を実行させるためのプログラム。
【請求項１５】
請求項１４に記載のプログラムを格納したことを特徴とする情報処理装置が読み取り可能な記憶媒体。
【手続補正２】
【補正対象書類名】明細書
【補正対象項目名】００１８
【補正方法】変更
【補正の内容】
【００１８】
上記の目的を達成するために、入力した動画の各フレームの画像の白色部分の画像データに基づいてホワイトバランス補正を行う本発明のホワイトバランス補正装置は、前記動画の第１画像及び該第１画像が入力してから予め設定された時間後に入力した第２画像のそれぞれの白色部分の画像データから複数の統計値を算出する算出手段と、前記第１画像の撮影時の光源と、前記第２画像の撮影時の光源とが異なっているかどうかを判断する判断手段と、前記判断手段により光源が異なっていると判断された場合に、前記第１画像の複数の統計値を前記第２画像の複数の対応する統計値まで、それぞれ一定の割合で所定時間、変化させる変更手段と、前記所定時間の間、前記変更手段により変化された複数の統計値を用いてホワイトバランス補正係数を算出する補正係数算出手段とを有し、前記第１画像と前記第２画像との間に入力した画像を、前記補正係数算出手段により算出されたホワイトバランス補正係数を用いてホワイトバランス補正する。
【手続補正３】
【補正対象書類名】明細書
【補正対象項目名】００１９
【補正方法】変更
【補正の内容】
【００１９】
また、入力した動画の各フレームの画像の白色部分の画像データに基づいてホワイトバランス補正を行う本発明のホワイトバランス補正方法は、前記動画の第１画像及び該第１画像が入力してから予め設定された時間後に入力した第２画像のそれぞれの白色部分の画像データから複数の統計値を算出する算出工程と、前記第１画像の撮影時の光源と、前記第２画像の撮影時の光源とが異なっているかどうかを判断する判断工程と、前記判断工程で光源が異なっていると判断された場合に、前記第１画像の複数の統計値を前記第２画像の複数の対応する統計値まで、それぞれ一定の割合で所定時間、変化させる変更工程と、前記所定時間の間、前記変更工程により変化中の複数の統計値を用いてホワイトバランス補正係数を算出する補正係数算出工程とを有し、前記第１画像と前記第２画像との間に入力した画像を、前記補正係数算出工程で算出されたホワイトバランス補正係数を用いてホワイトバランス補正する。